【手続補正書】
【提出日】平成16年5月21日(2004.5.21)
【手続補正１】
【補正対象書類名】明細書
【補正対象項目名】特許請求の範囲
【補正方法】変更
【補正の内容】
【特許請求の範囲】
【請求項１】
ＣＡＴＶ双方向増幅器に設けられる信号モニタ用の分岐器において、分岐器と出力端子との間に雷による低周波電流を防止する低周波電流阻止手段を設け、分岐器の分岐トランスのフェライトコアの磁気飽和を防止した信号モニタ用の分岐器を有することを特徴とするＣＡＴＶ双方向増幅器。
【請求項２】
ＣＡＴＶ双方向増幅器の増幅回路と入出力端子間に設けられる信号モニタ用の分岐器において、分岐器の分岐トランスを構成するコイルに直列にコンデンサを設けて、雷による低周波電流を防止し分岐トランスのフェライトコアの磁気飽和を防止した信号モニタ用の分岐器を有することを特徴とするＣＡＴＶ双方向増幅器。
【請求項３】
双方向ＣＡＴＶシステムの一部を構成するＣＡＴＶ双方向増幅器であって、ＣＡＴＶセンタ側の伝送路に接続される上り接続端子と、加入者端末側の伝送路に接続される下り接続端子と、該下り接続端子から加入者端末側の伝送路へ出力される信号をモニタするためのモニタ端子と、ＣＡＴＶセンタから前記上り接続端子経由で入力した下り信号を増幅して前記下り接続端子経由で加入者端末側の伝送路へ出力すると共に、加入者端末から前記下り接続端子経由で入力した上り信号を増幅して前記上り接続端子経由でＣＡＴＶセンタ側の伝送路へ出力する信号増幅部と、該信号増幅部から前記下り接続端子へ出力される下り信号の一部を分岐して、該分岐した信号を前記モニタ端子へ出力する分岐用トランスとを備えており、前記下り接続端子から前記分岐用トランスを構成するコイルを経由して所定の接地位置に至る経路中に、下り信号および上り信号と同じ周波数帯域の信号は通過させ、下り信号および上り信号の周波数帯域より低い周波数の信号は通過を抑制するためのコンデンサが設けられていることを特徴とするＣＡＴＶ双方向増幅器。
【請求項４】
ＣＡＴＶセンタから下り信号を複数の双方向増幅装置により増幅しながら加入者端末まで伝送すると共に、加入者端末からの上り信号を複数のＣＡＴＶ双方向増幅器により増幅しながらＣＡＴＶセンタまで伝送する双方向ＣＡＴＶシステムであって、下り信号および上り信号を増幅するＣＡＴＶ双方向増幅器として、請求項３に記載の双方向増幅器が使用されていることを特徴とする双方向ＣＡＴＶシステム。
【請求項５】
入力端子から出力端子まで伝送させる信号の一部を分岐用トランスにより分岐してモニタ端子から出力させるための分岐器であって、前記出力端子から前記分岐用トランスを構成するコイルを経由して所定の接地位置に至る経路中に、外部から前記出力端子経由で入力した信号のうち、前記入力端子および前記出力端子間の線路を伝送させるべき伝送信号と同じ周波数帯域の信号成分は通過させ、前記伝送信号の周波数帯域より低い周波数の信号は通過を抑制するための低周波電流抑制手段が設けられていることを特徴とする分岐器。
【請求項６】
入力端子に入力される信号を出力端子と分岐端子とに分岐する分岐トランスと、前記分岐トランスと出力端子との間に設けられ、入力端子および前記出力端子間の経路を伝送させるべき伝送信号と同じ周波数帯域の信号成分は通過させ、雷による低周波電流については通過を阻止する低周波電流阻止手段と、前記出力端子から前記分岐トランスを構成するコイルを経由して所定の接地位置に至る経路中に、外部から前記出力端子経由で入力した信号のうち、前記入力端子および前記出力端子間の経路を伝送させるべき伝送信号と同じ周波数帯域の信号成分は通過させ、前記伝送信号の周波数帯域より低い周波数の信号は通過を抑制するためのコンデンサが設けられていることを特徴とする分岐器。
【請求項７】
入力端子に入力される信号を複数の出力端子に分配するフェライトコアを使用した分配トランスと、前記分配トランスと各出力端子との間に設けられ、雷による低周波電流を阻止する低周波電流阻止手段と、前記出力端子から前記分岐用トランスを構成するコイルを経由して所定の接地位置に至る経路中に、外部から前記出力端子経由で入力した信号のうち、前記入力端子および前記出力端子間の経路を伝送させるべき伝送信号と同じ周波数帯域の信号成分は通過させ、前記伝送信号の周波数帯域より低い周波数の信号は通過を抑制するためのコンデンサが設けられていることを特徴とする分配器。
【手続補正２】
【補正対象書類名】明細書
【補正対象項目名】００１３
【補正方法】変更
【補正の内容】
【００１３】
【課題を解決するための手段】
第１の発明に係るＣＡＴＶ双方向増幅器は、ＣＡＴＶ双方向増幅器に設けられる信号モニタ用の分岐器において、分岐器と出力端子との間に雷による低周波電流を防止する低周波電流阻止手段を設け、分岐器の分岐トランスのフェライトコアの磁気飽和を防止した信号モニタ用の分岐器を有することを特徴とする。
第２の発明に係るＣＡＴＶ双方向増幅器は、ＣＡＴＶ双方向増幅器の増幅回路と入出力端子間に設けられる信号モニタ用の分岐器において、分岐器の分岐トランスを構成するコイルに直列にコンデンサを設けて、雷による低周波電流を防止し分岐トランスのフェライトコアの磁気飽和を防止した信号モニタ用の分岐器を有することを特徴とする。
第３の発明に係るＣＡＴＶ双方向増幅器は、双方向ＣＡＴＶシステムの一部を構成するＣＡＴＶ双方向増幅器であって、ＣＡＴＶセンタ側の伝送路に接続される上り接続端子と、加入者端末側の伝送路に接続される下り接続端子と、該下り接続端子から加入者端末側の伝送路へ出力される信号をモニタするためのモニタ端子と、ＣＡＴＶセンタから前記上り接続端子経由で入力した下り信号を増幅して前記下り接続端子経由で加入者端末側の伝送路へ出力すると共に、加入者端末から前記下り接続端子経由で入力した上り信号を増幅して前記上り接続端子経由でＣＡＴＶセンタ側の伝送路へ出力する信号増幅部と、該信号増幅部から前記下り接続端子へ出力される下り信号の一部を分岐して、該分岐した信号を前記モニタ端子へ出力する分岐用トランスとを備えており、前記下り接続端子から前記分岐用トランスを構成するコイルを経由して所定の接地位置に至る経路中に、下り信号および上り信号と同じ周波数帯域の信号は通過させ、下り信号および上り信号の周波数帯域より低い周波数の信号は通過を抑制するためのコンデンサが設けられていることを特徴とする。
第４の発明に係る双方向ＣＡＴＶシステムは、ＣＡＴＶセンタから下り信号を複数の双方向増幅装置により増幅しながら加入者端末まで伝送すると共に、加入者端末からの上り信号を複数のＣＡＴＶ双方向増幅器により増幅しながらＣＡＴＶセンタまで伝送する双方向ＣＡＴＶシステムであって、下り信号および上り信号を増幅するＣＡＴＶ双方向増幅器として、前記第３の発明に係る双方向増幅器が使用されていることを特徴とする。
第５の発明に係る分岐器は、入力端子から出力端子まで伝送させる信号の一部を分岐用トランスにより分岐してモニタ端子から出力させるための分岐器であって、前記出力端子から前記分岐用トランスを構成するコイルを経由して所定の接地位置に至る経路中に、外部から前記出力端子経由で入力した信号のうち、前記入力端子および前記出力端子間の線路を伝送させるべき伝送信号と同じ周波数帯域の信号成分は通過させ、前記伝送信号の周波数帯域より低い周波数の信号は通過を抑制するための低周波電流抑制手段が設けられていることを特徴とする。
第６の発明に係る分岐器は、入力端子に入力される信号を出力端子と分岐端子とに分岐する分岐トランスと、前記分岐トランスと出力端子との間に設けられ、入力端子および前記出力端子間の経路を伝送させるべき伝送信号と同じ周波数帯域の信号成分は通過させ、雷による低周波電流については通過を阻止する低周波電流阻止手段と、前記出力端子から前記分岐トランスを構成するコイルを経由して所定の接地位置に至る経路中に、外部から前記出力端子経由で入力した信号のうち、前記入力端子および前記出力端子間の経路を伝送させるべき伝送信号と同じ周波数帯域の信号成分は通過させ、前記伝送信号の周波数帯域より低い周波数の信号は通過を抑制するためのコンデンサが設けられていることを特徴とする。
第７の発明に係る分配器は、入力端子に入力される信号を複数の出力端子に分配するフェライトコアを使用した分配トランスと、前記分配トランスと各出力端子との間に設けられ、雷による低周波電流を阻止する低周波電流阻止手段と、前記出力端子から前記分岐用トランスを構成するコイルを経由して所定の接地位置に至る経路中に、外部から前記出力端子経由で入力した信号のうち、前記入力端子および前記出力端子間の経路を伝送させるべき伝送信号と同じ周波数帯域の信号成分は通過させ、前記伝送信号の周波数帯域より低い周波数の信号は通過を抑制するためのコンデンサが設けられていることを特徴とする。